(57)【要約】【課題】 上・下部フライパンの接触面全体にパッキング部材を設置することにより、パッキング部材の摩耗が少なくなり寿命及び耐久性が増加し、パッキング機能を長期間維持でき、上・下部フライパンの接触時に発生する騷音を減らすことができる両面フライパンを提供する。【解決手段】 上・下部フライパンが回転自在にヒンジ結合された両面フライパンにおいて、前記上・下部フライパンの接触面には、それぞれ凹溝が形成され、前記各凹溝にはその一部が前記接触面から突出されるように上・下部パッキング部材が結合される。【選択図】図４
2006346438.tif 000002
【特許請求の範囲】
【請求項１】
上・下部フライパン(１１ａ)(１１ｂ)が回転自在にヒンジ(１５)結合された両面フライパンにおいて、前記上・下部フライパン(１１ａ)(１１ｂ)の接触面(１７)には、それぞれ凹溝(１２)が形成され、前記各凹溝(１２)にはその一部が前記接触面(１７)から突出されるように上・下部パッキング部材(２０)が結合されることを特徴とする両面フライパン。
【請求項２】
前記凹溝(１２)には係止爪(１３)が形成され、前記上・下部パッキング部材(２０)には、前記係止爪(１３)に結合される結合溝(２１)が形成されることを特徴とする請求項１に記載の両面フライパン。
【請求項３】
前記上・下部パッキング部材(２０)は、前記凹溝(１２)に挿入された部分の幅(Ｗ１)よりも前記接触面(１７)から突出された部分の幅(Ｗ２)の方が大きいことを特徴とする請求項２に記載の両面フライパン。
【発明の詳細な説明】
【技術分野】
【０００１】
本発明は、両面フライパンに係り、より詳しくは、上・下部フライパンの接触面全体にパッキング部材を設置することで、パッキング部材の摩耗が少なくなり寿命及び耐久性が増加し、パッキング機能を長期間維持でき、上・下部フライパンの接触時に発生する騷音をも減らした両面フライパンに関する。
【背景技術】
【０００２】
両面フライパン１は、二つのフライパンが一つになっているキッチン用器具であって、図１に示すように、上・下部フライパン２、３の片側が相互にヒンジ結合されており、各フライパン２、３の反対側には取っ手５が設けられている。
【０００３】
したがって、料理する時には、上・下部フライパン２、３を互いに閉めてから料理するようになっている。
【０００４】
そして、料理中に上・下部フライパン２、３の間からの匂いまたは油などの漏れを防ぐために、図２のように下部フライパン３の接触面には凹溝３ａが形成され、前記凹溝３ａにはパッキング部材３ｂが挿入され、上部フライパン２の接触面には、前記凹溝３ａに挿入されると共にパッキング部材３ｂと密着する突出部２ａが形成される。
【０００５】
しかし、前記上・下部フライパン２、３を数回開け閉めすると、金属製の前記突出部２ａとゴムやシリコン製の前記パッキング部材３ｂとの接触により、パッキング部材３ｂの摩耗量が増加し、寿命はもとより耐久性が低下するという問題があり、その結果、パッキング部材３ｂが諸機能を発揮できないという問題があった。
【０００６】
また、上部フライパン２の突出部２ａの下部フライパン３の凹溝３ａへの挿入時において、摩擦などによって発生する騷音が問題となった。
【発明の開示】
【発明が解決しようとする課題】
【０００７】
本発明は、かかる従来の問題点を解決するためのもので、その目的は、上・下部フライパンの接触面全体にパッキング部材を設置することにより、パッキング部材の摩耗が少なくなり寿命及び耐久性が増加し、パッキング機能を長期間維持でき、上・下部フライパンの接触時に発生する騷音を減らすことができる両面フライパンを提供することにある。
【課題を解決するための手段】
【０００８】
上記目的を達成するために、本発明は、上・下部フライパンが回転自在にヒンジ結合された両面フライパンにおいて、前記上・下部フライパンの接触面には、それぞれ凹溝が形成され、前記各凹溝にはその一部が前記接触面から突出されるように上・下部フライパン部材が結合されることを特徴とする。
【発明の効果】
【０００９】
本発明によれば、前記上・下部フライパンの接触面全体にパッキング部材を設置することにより、パッキング部材の摩耗が少なくなり寿命及び耐久性が増加し、パッキング機能を長期間維持でき、上・下部フライパンの接触時に発生する騷音をも減らすことができる。
【発明を実施するための最良の形態】
【００１０】
以下、本発明を添付した図面を参照して説明する。また、従来の技術と同じ構成及び作用については、重複する説明を省略する。
【００１１】
図３は、本発明に係る両面フライパン１０を示す斜視図であり、図４は、本発明に係る両面フライパン１０から上・下部フライパンのパッキング部材を分解した状態を示す斜視図である。
【００１２】
図に示すように本発明に係る両面フライパン１０は、上部フライパン１１ａと下部フライパン１１ｂの各々の片側が互いに回転自在にヒンジ１５結合される構成である。
【００１３】
前記上・下部フライパン１１ａ、１１ｂが対向する内部には食べ物を収容することができる収容部１４が凹に形成され、各々の片側には取っ手１６が設けられる。
【００１４】
また、前記取っ手１６には、上・下部フライパン１１ａ、１１ｂを閉めた時、一時的にロックできるように公知のロック手段（図示せず）をさらに設けても良い。
【００１５】
そして、前記上・下部フライパン１１ａ、１１ｂを閉めた場合、 その間から食べ物の匂いや油などが外へ漏れることを防ぐために、上・下部フライパン１１ａ、１１ｂの接触面１７にはそれぞれ凹溝１２を形成し、前記各凹溝１２にはその一部が前記接触面１７から突出されるように上・下部パッキング部材２０を結合する。
【００１６】
また、前記凹溝１２には前記パッキング部材２０の離脱を防止する係止爪１３を内側から突設し、前記上・下部パッキング部材２０には前記係止爪１３に結合される結合溝２１を形成する。
【００１７】
この際、前記上・下部パッキング部材２０は、前記凹溝１２に挿入された部分の幅Ｗ１よりも前記接触面１７から突出された部分の幅Ｗ２の方を大きくすることが望ましい。これにより、前記接触面１７におけるパッキング部材２０の占有面積が広くなり、その結果、前記上・下部フライパン１１ａ、１１ｂの閉鎖時においてその分のパッキング性が向上でき、上・下部フライパン１１ａ、１１ｂの接触時に発生する騷音をも一層低減することができる。
【００１８】
なお、前記凹溝１２において、前記係止爪１３を基準に内側よりも外側の幅を大きくすることにより、前記接触面１７の外側に突出するパッキング部材２０の突出部分を安定的に支持することができる。
【００１９】
また、前記上・下部パッキング部材２０の内部には空洞部２２を形成することにより、パッキング部材２０の弾性力を向上させることはもとより、前記凹溝１２への挿入時に挿入が円滑にでき、製造コストが低減できる。
【００２０】
以上説明したように、本発明に係る両面フライパン１０は、前記上・下部フライパン１１ａ、１１ｂの接触面１７にはそれぞれ凹溝１２が形成され、前記各凹溝１２にはその一部が前記接触面１７から突出されるように上・下部パッキング部材２０を結合したものであり、上・下部フライパン１１ａ、１１ｂを閉めるとき、上部フライパン１１ａの凹溝１２に結合されている上部パッキング部材２０が、下部フライパン１１ｂの凹溝１２に結合されている下部パッキング部材２０に密着して、完全にパッキングされる。
【図面の簡単な説明】
【００２１】
【図１】従来の両面フライパンを示す斜視図である。
【図２】図１の両面フライパンが密閉された状態を示す部分断面図である。
【図３】本発明に係る両面フライパンを示す斜視図である。
【図４】本発明に係る両面フライパンから上・下部フライパンのパッキング部材を分解した状態を示す斜視図である。
【符号の説明】
【００２２】
１０    両面フライパン
１１ａ    上部フライパン
１１ｂ    下部フライパン
１２    凹溝
１３    係止爪
１４    収容部
１５    ヒンジ
１６    取っ手
１７    接触面
２０    パッキング部材
２１    結合溝
２２    空洞部
【図１】
2006346438.tif 000003
【図２】
2006346438.tif 000004
【図３】
2006346438.tif 000005
【図４】
2006346438.tif 000006